(57)【要約】【課題】  遮蔽部材を片寄らずに均等の力で押し出すことができるので、収納溝の側面に圧接することがなく、スムーズに遮蔽部材を引き出すことができる隙間調整装置を提供する。【解決手段】  隙間調整装置１は、引き戸枠３に形成された収納溝５に収納され、収納溝５の開口９から突出する遮蔽部材１１と、収納溝５から遮蔽部材１１を突出させる調節手段２１とからなる。調節手段２１は、引き戸枠３に取り付けられた軸受体２２と、軸受体２２に回動可能に取り付けられた回動体３１と、回動体３１の連結軸３６に取り付けられる連結アーム４１と、連結アーム４１に取り付けられ、遮蔽部材１１を保持する保持アーム５１とからなる。隙間調整装置１は、回動体３１を一方向に回動させると、遮蔽部材１１が隙間を遮蔽し、回動体３１を他方向に回動させると、遮蔽部材１１が隙間を開ける。【選択図】        図１
2015004176.tif 000002
【特許請求の範囲】
【請求項１】
引き戸又は引き戸枠の一方に取り付けられ、引き戸と引き戸枠の隙間を塞ぐ隙間調整装置であって、
引き戸又は引き戸枠の一方に形成された収納溝に収納され、収納溝の開口から突出する遮蔽部材と、
収納溝から遮蔽部材を突出させる調節手段とからなり、
前記調節手段は、
引き戸又は引き戸枠の一方に取り付けられた軸受体と、
軸受体に回動可能に取り付けられ、収納溝内に突出する連結軸を有する回動体と、
連結軸に固定して取り付けられる連結アームと、
連結アームに回動可能に取り付けられ、前記遮蔽部材を保持する保持アームとを有し、
回動体を一方向に回動させると、連結アームが収納溝の開口側に回転し、保持アームに保持された遮蔽部材が引き戸又は引き戸枠の他方側に移動して引き戸と引き戸枠の隙間を遮蔽し、回動体を他方向に回動させると、連結アームが収納溝の反開口側に回転し、保持アームに保持された遮蔽部材が引き戸又は引き戸枠の他方から離れる方向に移動して引き戸と引き戸枠の隙間を開けることを特徴とする隙間調整装置。
【請求項２】
連結アームには、回動体を一方向に回動させて、連結アームを収納溝の開口側に回転した時に、収納溝の底部に当接して、連結アームの回転を規制する規制突起が設けられていることを特徴とする請求項１記載の隙間調整装置。
【請求項３】
連結アームには、回動体の連結軸を着脱可能に挿着できる連結孔が形成され、
前記回動体の連結軸は、連結アームの連結孔に係合し、回転方向に所定以上の力が加わると連結孔内で空回りすることを特徴とする請求項１又は２記載の隙間調整装置。
【発明の詳細な説明】
【技術分野】
【０００１】
本発明は、引き戸と引き戸枠の間の隙間を塞ぐ隙間調整装置に関する。
【背景技術】
【０００２】
従来、引き戸と引き戸枠の隙間を塞ぐ隙間調整装置の構成は、種々提案されている。第１の隙間調整装置は、引き戸枠の方立に取り付けられ、引き戸と方立の隙間を塞ぐようになっている。第１の隙間調整装置は、方立に形成された凹溝に収納され、凹溝の開口から突出する遮蔽部材と、凹溝から遮蔽部材を突出させる調整部材とからなる。調整部材は、方立に取り付けられた外筒と、外筒に回動可能に取り付けられ、凹溝内に突出する偏芯カム軸を有する回動体とからなる。偏芯カム軸は、遮蔽部材を装着する基材の係合溝に係合する。回動体を一方向に回動させると、偏芯カム軸が凹溝の開口側に回転し、基材に取り付けられた遮蔽部材を引き戸側に移動して方立と引き戸の隙間を遮蔽する。回動体を他方向に回動させると、偏芯カム軸が凹溝の反開口側に回転し、基材に取り付けられた遮蔽部材を引き戸から離れる方向に移動して引き戸と方立の隙間を開ける（例えば、特許文献１）。
【０００３】
第２の隙間調整装置は、引き戸枠の中方立に取り付けられ、引き戸と中方立の隙間を塞ぐようになっている。第２の隙間調整装置は、中方立に形成された収納溝に収納され、収納溝の開口から突出するモヘアと、収納溝からモヘアを突出させる回動調節部材とからなる。回動調節部材は、中方立に回動可能に取り付けられ、収納溝内に突出するピニオン部を有する。ピニオン部は、モヘアを装着するベースの長孔に形成されたラック部に噛合する。回動調節部材を一方向に回動させると、ピニオン部が一方に回転し、ベースに取り付けられたモヘアを引き戸側に移動して中方立と引き戸の隙間を遮蔽する。回動調節部材を他方向に回動させると、ピニオン部が他方に回転し、ベースに取り付けられたモヘアを引き戸から離れる方向に移動して引き戸と中方立の隙間を開ける（例えば、特許文献２）。
【０００４】
第３の隙間調整装置は、引き戸枠に取り付けられ、引き戸と引き戸枠の隙間を塞ぐようになっている。第３の隙間調整装置は、引き戸枠に形成された収容部に収容され、収容部の開口から突出する閉塞部材と、収容部から閉塞部材を突出させる調節機構とからなる。閉塞部材は、支持部材によって支持されている。調節機構は、引き戸枠に回動可能に取り付けられ、収容部内に突出するケース部を有する第１カム部材と、第１カム部材の凹部内を摺動回転する凸部を備え、さらに前記支持部材を支持する基部を備えた第２カム部材とからなる。第１カム部材を一方向に回動させると、第２カム部材を介して支持部材に支持された閉塞部材が引き戸側に移動して引き戸と引き戸枠の隙間を遮蔽し、第１カム部材を他方向に回動させると、第２カム部材を介して支持部材に支持された閉塞部材が引き戸から離れる方向に移動して引き戸と引き戸枠の隙間を開ける（例えば、特許文献３）。
【先行技術文献】
【特許文献】
【０００５】
【特許文献１】特開２０１２−１８８８８８号公報
【特許文献２】特開２００９−１２７３２１号公報
【特許文献３】特開２０１１−１３２６８７号公報
【発明の概要】
【発明が解決しようとする課題】
【０００６】
上記した第１の隙間調整装置は、回動体を回動させると、偏芯カム軸が回転して、基材に取り付けられた遮蔽部材が引き戸側に移動し、方立と引き戸の隙間を遮蔽するが、偏芯カム軸が基材の側面に形成された係合溝に係合した片持ち状態で遮蔽部材を引き出すので、遮蔽部材を引き出す力に片寄りがあり、基材の側面が凹溝の側面に接触して引き出し難くなる場合あるという問題点があった。また、回動体を半回転以上させると遮蔽部材が一番引き出された状態からまた元に戻り始めるので、遮蔽部材の位置調整が難しいという問題点があった。また、偏心カム軸の片持ちで基材を保持するので、偏心カム軸にかかる負担が大きく、壊れやすいという問題点があった。
【０００７】
上記した第２の隙間調整装置は、回動調節部材を回動させると、ピニオン部が回転し、ラック部を介してベースに取り付けられたモヘアが引き戸側に移動し、中方立と引き戸の隙間を遮蔽するが、回動調節部材のピニオン部がモヘアを装着するベースの長孔に挿入されており、ベースの重みで長孔の上端縁がピニオン部に圧接しており、ピニオン部が壊れやすいという問題点があった。また、回動調節部材の回転方向の位置決めする手段が存在しないので、簡単に回転してしまい、モヘアを定位置で保持させるのが難しいという問題点があった。さらに、回動調節部材を回転させ続けると、ピニオン部が長孔の両端縁に接触して、ピニオン部又はラック部を破損させてしまうという問題点があった。
【０００８】
上記した第３の隙間調整装置は、第１カム部材を回動させると、第２カム部材を介して支持部材に支持された閉塞部材が引き戸側に移動して引き戸と引き戸枠の隙間を遮蔽するが、第２カム部材の一方の側面に形成された凸部が第１カム部材の凹部に係合した片持ち状態で閉塞部材を引き出すので、閉塞部材を引き出す力に片寄りがあり、閉塞部材を支持する支持部材の側面が収容部の側面に接触して引き出し難くなる場合あるという問題点があった。また、閉塞部材を出没させる機構が、第１カム部材の凹部と第２カム部材の凸部の面接触によるので、摩擦抵抗等により閉塞部材の引き出しが容易でなくなる場合があるという問題点があった。
【０００９】
本願発明は、上記問題点に鑑み案出したものであって、遮蔽部材を片寄らずに均等の力で押し出すことができるので、収納溝の側面に圧接することがなく、スムーズに遮蔽部材を引き出すことができ、また回動体の正転及び逆転により遮蔽部材の位置調整を容易にした隙間調整装置を提供することを第１の目的とする。また、第１の目的を備え、遮蔽部材の突出量を規制することができる規制突起が設けられた隙間調整装置を提供することを第２の目的とする。さらに、第１，２の目的を備え、回動体の過剰な回動力による、回動体の連結軸と連結アームの連結孔の損傷を防止した隙間調整装置を提供することを第３の目的とする。
【課題を解決するための手段】
【００１０】
本願請求項１記載の隙間調整装置は、上記第１の目的を達成するため、引き戸又は引き戸枠の一方に取り付けられ、引き戸と引き戸枠の隙間を塞ぐ隙間調整装置であって、引き戸又は引き戸枠の一方に形成された収納溝に収納され、収納溝の開口から突出する遮蔽部材と、収納溝から遮蔽部材を突出させる調節手段とからなり、前記調節手段は、引き戸又は引き戸枠の一方に取り付けられた軸受体と、軸受体に回動可能に取り付けられ、収納溝内に突出する連結軸を有する回動体と、連結軸に固定して取り付けられる連結アームと、連結アームに回動可能に取り付けられ、前記遮蔽部材を保持する保持アームとを有し、回動体を一方向に回動させると、連結アームが収納溝の開口側に回転し、保持アームに保持された遮蔽部材が引き戸又は引き戸枠の他方側に移動して引き戸と引き戸枠の隙間を遮蔽し、回動体を他方向に回動させると、連結アームが収納溝の反開口側に回転し、保持アームに保持された遮蔽部材が引き戸又は引き戸枠の他方から離れる方向に移動して引き戸と引き戸枠の隙間を開けることを特徴とする。
【００１１】
本願請求項２記載の隙間調整装置は、上記第２の目的を達成するため、連結アームには、回動体を一方向に回動させて、連結アームを収納溝の開口側に回転した時に、収納溝の底部に当接して、連結アームの回転を規制する規制突起が設けられていることを特徴とする。
【００１２】
本願請求項３記載の隙間調整装置は、上記第３の目的を達成するため、連結アームには、回動体の連結軸を着脱可能に挿着できる連結孔が形成され、前記回動体の連結軸は、連結アームの連結孔に係合し、回転方向に所定以上の力が加わると連結孔内で空回りすることを特徴とする。
【発明の効果】
【００１３】
本願発明に係る隙間調整装置は、回動体を一方に回動させると連結軸も一方に回動し、連結軸に取りつけられた連結アームが連結軸を中心として一方に回転する。連結アームの一方の回転により、保持アームが押し出され、遮蔽部材が保持アームに保持されているので、遮蔽部材も押し出される。遮蔽部材は、保持アームにより保持されており、片寄らずに均等の力で全体が押し出されるので、収納溝の側面に圧接することがなく、スムーズに引き出されるという効果がある。回動体を他方に回動させると連結軸も他方に回動し、連結軸に取りつけられた連結アームが連結軸を中心として他方に回転する。連結アームの他方の回転により、保持アームが引き戻され、遮蔽部材が保持アームに保持されているので、遮蔽部材も元の収納溝内に戻される。このように、本願発明に係る隙間調整装置は、回動体の正転及び逆転により遮蔽部材の位置調整を容易にすることができるという効果がある。
【００１４】
本願発明に係る隙間調整装置は、回動体を一方に所定角度回動させると、連結アームに設けられた規制突起が収納溝の底部に当接し、連結アームの回転を規制するので、遮蔽部材の突出量を規制することができるという効果がある。
【００１５】
本願発明に係る隙間調整装置は、連結アームの回転が規制されて連結アームが回転できなくなった場合に、回動体に所定以上の回転力が加わっても、回動体の連結軸が連結アームの連結孔内で空回りし、回動体の連結軸と連結アームの連結孔の損傷を防止することができるという効果がある。
【図面の簡単な説明】
【００１６】
【図１】本願発明に係る隙間調整装置の一つの形態を示す斜視図である。
【図２】本願発明に係る隙間調整装置の調節手段を示す斜視図であって、（ａ）が一方から視た斜視図、（ｂ）が他方から視た斜視図である。
【図３】図２の調節手段を示す説明図あって、（ａ）が正面図、（ｂ）が背面図である。
【図４】連結アームの説明図であって、（ａ）が上面図、（ｂ）が左側面図、（ｃ）が正面図、（ｄ）が右側面図、（ｅ）が斜視図である。
【図５】保持アームの説明図であって、（ａ）が上面図、（ｂ）が左側面図、（ｃ）が正面図、（ｄ）が右側面図、（ｅ）が斜視図である。
【図６】回動体の説明図であって、（ａ）が上面図、（ｂ）が左側面図、（ｃ）が正面図、（ｄ）が右側面図、（ｅ）が斜視図である。
【図７】軸受体の説明図であって、（ａ）が上面図、（ｂ）が左側面図、（ｃ）が正面図、（ｄ）が右側面図、（ｅ）が斜視図である。
【図８】遮蔽体の説明図であって、（ａ）が上面図、（ｂ）が斜視図である。
【図９】ガイド枠の説明図であって、（ａ）が上面図、（ｂ）が斜視図である。
【図１０】ストッパー部材の説明図であって、（ａ）が上面図、（ｂ）が左側面図、（ｃ）が正面図、（ｄ）が右側面図、（ｅ）が斜視図である。
【図１１】図１の隙間調整装置の取付方を示す説明図であって、（ａ）が取付前の正面図、（ｂ）が取付後の正面図である。
【図１２】図１の隙間調整装置の使用状態を説明する断面図である。
【図１３】図１の隙間調整装置の使用状態を説明する側面図である。
【図１４】隙間調整装置の使用状態を説明する平面図である。
【図１５】図１の隙間調整装置の使用状態を説明する説明図であって、（ａ）が遮蔽部材の突出後の側面図、（ｂ）が遮蔽部材の没入後の側面図である。
【発明を実施するための形態】
【００１７】
図１４に示すように、隙間調整装置１は、引き戸２又は引き戸枠３の一方に取り付けられ、引き戸２と引き戸枠３の隙間を塞ぐものである。図１に示すように、隙間調整装置１は、引き戸２又は引き戸枠３の一方に形成された収納溝５に収納され、収納溝５の開口９から突出する遮蔽部材１１と、収納溝５から遮蔽部材１１を突出させる調節手段２１とからなる。
【００１８】
図２に示すように、前記調節手段２１は、引き戸２又は引き戸枠３の一方に取り付けられた軸受体２２と、軸受体２２に回動可能に取り付けられ、収納溝５内に突出する連結軸３６を有する回動体３１と、連結軸３６に固定して取り付けられる連結アーム４１と、連結アーム４１に回動可能に取り付けられ、前記遮蔽部材１１を保持する保持アーム５１とを有する。
【００１９】
図１５に示すように、隙間調整装置１は、回動体３１を一方向（Ｘ方向）に回動させると、連結アーム４１が収納溝５の開口９側に回転し、保持アーム５１に保持された遮蔽部材１１が引き戸２又は引き戸枠３の他方側に移動して引き戸２と引き戸枠３の隙間を遮蔽する。また、隙間調整装置１は、回動体３１を他方向（Ｙ方向）に回動させると、連結アーム４１が収納溝５の反開口側に回転し、保持アーム５１に保持された遮蔽部材１１が引き戸２又は引き戸枠３の他方から離れる方向に移動して引き戸２と引き戸枠３の隙間を開ける。
【００２０】
隙間調整装置１は、回動体３１を一方（Ｘ方向）に回動させると連結軸３６も一方（Ｘ方向）に回動し、連結軸３６に取りつけられた連結アーム４１が連結軸３６を中心として一方に回転する。連結アーム４１の一方（Ｘ方向）の回転により、保持アーム５１が押し出され、遮蔽部材１１が保持アーム５１に保持されているので、遮蔽部材１１も押し出される。遮蔽部材１１は、保持アーム５１により保持されており、片寄らずに均等の力で全体が押し出されるので、収納溝５の側面７，８に圧接することがなく、スムーズに引き出される。
【００２１】
回動体３１を他方（Ｙ方向）に回動させると連結軸３６も他方に回動し、連結軸３６に取りつけられた連結アーム４１が連結軸３６を中心として他方に回転する。連結アーム４１の他方（Ｙ方向）の回転により、保持アーム５１が引き戻され、遮蔽部材１１が保持アーム５１に保持されているので、遮蔽部材１１も元の収納溝５内に戻される。このように、隙間調整装置１は、回動体３１の正転及び逆転により遮蔽部材１１の位置調整を容易にすることができる。
【００２２】
図１５に示すように、隙間調整装置１は、連結アーム４１に、回動体３１を一方向に回動させて、連結アーム４１を収納溝５の開口９側に回転した時に、収納溝５の底部６に当接して、連結アーム４１の回転を規制する規制突起４８が設けられている。隙間調整装置１は、回動体３１を一方に所定角度回動させると、連結アーム４１に設けられた規制突起４８が収納溝５の底部６に当接し、連結アーム４１の回転を規制するので、遮蔽部材１１の突出量を規制することができる。
【００２３】
図３に示すように、隙間調整装置１は、連結アーム４１に、回動体３１の連結軸３６を着脱可能に挿着できる連結孔４３が形成されている。前記回動体３１の連結軸３６は、連結アーム４１の連結孔４３に係合し、回転方向に所定以上の力が加わると連結孔４３内で空回りする。隙間調整装置１は、連結アーム４１の回転が規制されて連結アーム４１が回転できなくなった場合に、回動体３１に所定以上の回転力が加わっても、回動体３１の連結軸３６が連結アーム４１の連結孔４３内で空回りし、回動体３１の連結軸３６と連結アーム４１の連結孔４３の損傷を防止することができる。
【００２４】
さらに、隙間調整装置について詳細に説明する。当該隙間調整装置１は、図１４に示すように、引き戸枠３の中方立４に取り付けられ、引き戸２と中方立４の間の隙間を塞ぐようになっている。図１に示すように、隙間調整装置１は、中方立４に形成された収納溝５に収納され、収納溝５の開口９から突出する遮蔽部材１１と、収納溝５から遮蔽部材１１を突出させる調節手段２１とからなる。
【００２５】
図１に示すように、遮蔽部材１１は、遮蔽体１２と、遮蔽体１２を着脱可能に取り付けるガイド枠１５とで形成される。遮蔽体１２は、図８に示すように、モヘア等の接触片１３と、接触片１３の一方を固定する帯片１４とからなる。ガイド枠１５は、図９に示すように、長尺板部１６と、長尺板部１６の一方面両側に形成された略Ｌ字状の係止部１７ａ，１７ｂと、長尺板部１６の他方面両側に形成された略Ｌ字状の挟持部１８ａ，１８ｂとからなる。挟持部１８ａ，１８ｂの先端部には、内側に突出する突起１９ａ，１９ｂが設けられている。図１に示すように、前記遮蔽体１２は、帯片１４をガイド枠１５の係止部１７ａ，１７ｂに差し込んで、ガイド枠１５に固定され、遮蔽部材１１を構成している。なお、遮蔽体１２は、ガイド枠１５の係止部１７ａ，１７ｂから引き抜いて、交換することができる。
【００２６】
図１，２に示すように、調節手段２１は、引き戸枠３の中方立４の取付孔１０に取り付けられる軸受体２２と、軸受体２２に回動可能に取り付けられ、収納溝５内に突出する連結軸３６を有する回動体３１と、連結軸３６に固定して取り付けられる連結アーム４１と、連結アーム４１に回動可能に取り付けられ、前記遮蔽部材１１を保持する保持アーム５１とからなる。
【００２７】
図７に示すように、軸受体２２は、円筒状に形成された胴部２３と、胴部２３の一方端に形成されたフランジ２４とからなる。胴部２３の外周面には、他方端側に下降傾斜する係止突起２５が形成されている。胴部２３の他方には、一対の切り欠き２６，２６によって弾性片２７，２７が対向して設けられ、弾性片２７，２７の先端内側に係止爪２９，２９が設けられている。胴部２３の内周面２８には、一方端から他方端側に向かって所定距離の位置に係合段部２８ａが形成されている。
【００２８】
図６に示すように、回動体３１は、回転円胴部３２を有する。回転円胴部３２の一方の面３２ａには、回転円胴部３２と略同一軸心で、回転円胴部３２の外径より小径の回転歯部３３が形成されている。回転円胴部３２の他方の面３２ｂには、一対の平行に伸びる突起片３４，３４が形成されている。この一対の突起片３４，３４間の隙間は、硬貨の厚みより若干広く形成され、硬貨が挿入できるようになっている。硬貨を一対の突起片３４，３４間に差し込んでから回すことによって、回転円胴部３２を回転させることができる。
【００２９】
回転円胴部３２の周面３箇所には、凸部３５が形成されている。凸部３５は、回転円胴部３２の周面から薄く湾曲して突出して形成されている。凸部３５は、回転円胴部３２を軸受体２２内に挿入させると、胴部２３の内周面２８に圧接する。回転円胴部３２は、凸部３５と胴部２３の内周面２８の圧接摩擦力によって軸受体２２に固定される。
【００３０】
前記回動体３１の回転歯部３３の先端面３３ａには、回転歯部３３と略同一軸心で、回転歯部３３の外径より小径の連結軸３６が形成されている。連結軸３６の周面の６箇所には、軸方向に伸びる係止突部３７が形成されている。連結軸３６の先端面３６ａには、先端３８ａ側に向かって外径が小さくなるガイド部３８が形成されている。
【００３１】
図４に示すように、連結アーム４１は、中心軸体４２を有する。中心軸体４２には、軸方向に向かって、断面が略六角形状の連結孔４３が形成されている。中心軸体４２には、連結孔４３の一部を切り欠く切り欠き４４が形成されている。当該連結孔４３には、前記回動体３１の連結軸３６が挿入され、連結軸３６の係止突部３７が六角の角部に係止され、連結軸３６が保持される。
【００３２】
中心軸体４２の軸方向両側には、一対の軸受け片４５，４５が設けられている。軸受け片４５，４５には、軸受け孔４６，４６が対向して形成され、内面に軸受け孔４６，４６まで案内する傾斜ガイド部４７，４７が設けられている。また、中心軸体４２の軸方向両側には、一対の軸受け片４５，４５と所定角度を隔てて、一対の規制突起４８，４８が設けられている。軸受け片４５，４５の外面３箇所には、中方立４の収納溝５の側面７，８に当接して、軸受け片４５，４５が直接的に収納溝５の側面７，８に当接しないようにした半円状の凸部４９が形成されている。
【００３３】
図５に示すように、保持アーム５１は、矩形軸体５２と、矩形軸体５２の一方両側に設けられた支軸５３，５３と、矩形軸体５２の他方側に形成された一対の可撓片５５，５５とからなる。一対の可撓片５５，５５は、矩形軸体５２の他方側に形成された略Ｖ字状の割溝５４で構成されている。矩形軸体５２の割溝５４で形成された一対の可撓片５５，５５は、略Ｕ字状連結片５６，５６によって補強されている。可撓片５５の外側面には、係止突起５７，５７が形成されている。係止突起５７は、先部に傾斜ガイド面５８が形成され、両側に補強片５９，５９が設けられている。
【００３４】
図２に示すように、保持アーム５１は、矩形軸体５２が連結アーム４１の軸受け片４５，４５間に差し込まれ、連結アーム４１に回動可能に取り付けられる。即ち、保持アーム５１は、支軸５３，５３を連結アーム４１の傾斜ガイド部４７，４７に沿って押し込むと、軸受け片４５，４５が拡開し、支軸５３，５３が軸受け孔４６，４６に位置すると、軸受け片４５，４５が元の位置に復帰し、支軸５３，５３が軸受け孔４６，４６に回動可能に支持される。
【００３５】
隙間調整装置１は、次のようにして取り付けられる。図１３，１４に示すように、引き戸２は、引き戸枠３に摺動可能に取り付けられている。引き戸枠３には、中方立４が形成されており、当該中方立４に隙間調整装置１が取り付けられる。図１，１２に示すように、中方立４には、引き戸２側に向かって開口９が形成された収納溝５を有する。収納溝５は、底壁６と側壁７，８とによって断面コ字状に形成されている。図１３に示すように、中方立４の側面の３箇所には、収納溝５と連通する取付孔１０が形成されている。
【００３６】
図１，１１（ａ）に示すように、保持アーム５１を連結アーム４１に回動可能に連結した状態で、中方立４の収納溝５内に収納する。連結アーム４１は、これの半円状の凸部４９が収納溝５の側面７，８に摺接し、スムーズに収納される。
【００３７】
図２に示すように、軸受体２２の胴部２３内に一方端側から、回動体３１の連結軸３６を差し込んでいくと、回動体３１の回転円胴部３２が胴部２３の内周面２８に嵌合し、回転円胴部３２が内周面２８の係合段部２８ａに係合して停止する。回動体３１の回転円胴部３２の周面には、凸部３５が形成されており、凸部３５が胴部２３の内周面２８に圧接する。従って、回転円胴部３２は、凸部３５と胴部２３の内周面２８の圧接摩擦力によって軸受体２２に固定される。回動体３１の連結軸３６は、軸受体２２の胴部２３の他方端から突出する。回動体３１の回転歯部３３には、胴部２３に形成された弾性片２７，２７の係止爪２９，２９が噛合する。
【００３８】
図１に示すように、回動体３１を取り付けた状態で、軸受体２２の胴部２３を中方立４の取付孔１０に嵌合する。軸受体２２は、フランジ２４が取付孔１０周縁に係合して停止する。軸受体２２は、胴部２３の外周面に係止突起２５が形成されており、係止突起２５が取付孔１０の内周面に係止するので、取付孔１０に固定される。なお、取付孔１０に軸受体２２を取り付け、軸受体２２に回動体３１を装着するようにしても構わない。
【００３９】
前述したように、回動体３１を中方立４に取り付けるときに、連結軸３６を収納溝５内に先に収納した連結アーム４１の連結孔４３に挿入する。図３に示すように、連結アーム４１は、連結軸３６の係止突部３７に連結孔４３の六角の内角部が係止され、連結軸３６に保持される。
【００４０】
図１１（ａ）に示すように、回動体３１の連結軸３６に連結アーム４１を取り付けた状態で、保持アーム５１の一対の可撓片５５，５５を、収納溝５の開口９側に向ける。遮蔽部材１１のガイド枠１５の挟持部１８ａ，１８ｂを収納溝５の開口９から差し込んでいく。挟持部１８ａ，１８ｂの突起１９ａ，１９ｂが保持アーム５１の傾斜ガイド面５８，５８に摺接して、係止突起５７，５７を内側に押し込む。突起１９ａ，１９ｂが係止突起５７，５７を乗り越えると、図１１（ｂ）に示すように、係止突起５７，５７が元の位置に復帰して、突起１９ａ，１９ｂに係合する。このようにして、ガイド枠１５は一対の可撓片５５，５５によって保持される。
【００４１】
遮蔽部材１１は、保持アーム５１に保持され、収納溝５の開口９側に抜け出ることはないが、収納溝５の長手方向に摺動して、調節手段２１から外れる可能性がある。図１０に示すように、ストッパー部材６１を形成し、当該ストッパー部材６１を収納溝５内であって、遮蔽部材１１の両側に配置して、遮蔽部材１１の長手方向の摺動を阻止するようにしても良い。ストッパー部材６２は、ストッパー板６２と、ストッパー板６２と略直角の固定板６３によって略Ｌ字状に形成されている。固定板６３の両側面には、係止爪６５が形成されている。ストッパー部材６１は、固定板６３を収納溝５内に押し込むと、係止爪６５によって固定板６３が収納溝５に固定され、ストッパー板６２が収納溝５が塞ぎ、遮蔽部材１１の長手方向の摺動を阻止する。
【００４２】
隙間調整装置１は、中方立４に取り付けられた状態の時、回動体３１は、回転円胴部３２の周面に形成された凸部３５が軸受体２２の胴部２３の内周面２８に圧接し、凸部３５と胴部２３の内周面２８の圧接摩擦力によって軸受体２２に固定されている。また、回動体３１の回転歯部３３は、軸受体２２の弾性片２７，２７に設けられた係止爪２９，２９に係止されている。
【００４３】
回動体３１は、一対の突起片３４，３４間に硬貨を差し込み、回転円胴部３２の周面の凸部３５と軸受体２２の胴部２３の内周面２８の圧接摩擦力以上の力で硬貨を回すことによって、回転円胴部３２を回すことができる。回転円胴部３２と一体の回転歯部３３も、胴部２３に形成された弾性片２７，２７の係止爪２９，２９を外側に弾きながら回転する。回動体３１の回転を停止させると、回転歯部３３に弾性片２７，２７の係止爪２９，２９が係止し、回動体３１の回転を阻止する方向に作用する。
【００４４】
図１５（ａ）に示すように、回動体３１を反時計方向（Ｘ方向）に回転させると、連結軸３６も反時計方向（Ｘ方向）に回転する。連結軸３６に形成された係止突部３７が連結アーム４１の連結孔４３の六角孔の内角部に係止されているので、連結軸３６の回転が連結アーム４１に伝達され、連結アーム４１が連結軸３６を中心として反時計方向（Ｘ方向  収納溝５の開口９側）に回転する。
【００４５】
連結アーム４１の反時計方向の回転により、連結アーム４１に取り付けられている保持アーム５１が収納溝５の開口９側に移動する。保持アーム５１に取り付けられた遮蔽部材１１が収納溝５から押し出され、中方立４の開口側端面９ａより突出し、接触片１３が引き戸２に接触して引き戸２と中方立４の隙間を塞ぐことができる。遮蔽部材１１を保持する保持アーム５１は、両側面に形成された支軸５３，５３が連結アーム４１の軸受け孔４６，４６に支持されているので、両側面から安定して押し出され、収納溝５の側面７（又は８）側に押し付けられることがない。そのため、遮蔽部材１１は、収納溝５の側面７又は８に圧接することなく、スムーズに引き出される。
【００４６】
なお、連結アーム４１の反時計方向（Ｘ方向）の回転は、図１５（ａ）に示すように、規制片４８，４８が収納溝５の底壁６に当接すると、それ以上回転しなくなり、遮蔽部材１１の突出量が規制される。連結アーム４１の規制片４８，４８が収納溝５の底壁６に当接した状態で、さらに回動体３１を反時計方向（Ｘ方向）に回転させると、連結軸３６の係止突部３７が連結孔４３の六角内角部から外れ、連結軸３６は空転し、連結軸３６と連結孔４３の損傷を防止することができる。なお、連結孔４３には、切り欠き４４が形成されているので、連結孔４３が拡がり易くなっており、連結軸３６の係止突部３７が連結孔４３の六角内角部から外れると、連結孔４３が拡がって連結軸３６が空転し、より一層、連結軸３６と連結孔４３の損傷を防止する。
【００４７】
また、図１５（ｂ）に示すように、回動体３１を時計方向（Ｙ方向）に回転させると、連結軸３６も時計方向（Ｙ方向）に回転する。連結軸３６に形成された係止突部３７が連結アーム４１の連結孔４３の六角孔の内角部に係止されているので、連結軸３６の回転が連結アーム４１に伝達され、連結アーム４１が連結軸３６を中心として時計方向（Ｙ方向  収納溝５の底壁６側）に回転する。
【００４８】
連結アーム４１の時計方向の回転により、連結アーム４１に取り付けられている保持アーム５１が収納溝５の底壁６側に移動する。保持アーム５１に取り付けられた遮蔽部材１１が収納溝５内に引き戻され、接触片１３が引き戸２から離れて引き戸２と中方立４の隙間を開放する。
【００４９】
連結アーム４１の時計方向（Ｙ方向）の回転は、連結アーム４１又は保持アーム５１が収納溝５の底壁６に当接すると、それ以上回転しなくなり、遮蔽部材１１の没入量が規制される。連結アーム４１又は保持アーム５１が収納溝５の底壁６に当接した状態で、さらに回動体３１を時計方向（Ｙ方向）に回転させると、連結軸３６の係止突部３７が連結孔４３の六角内角部から外れ、連結軸３６は空転し、連結軸３６と連結孔４３の損傷を防止することができる。なお、前述したように、連結孔４３には、切り欠き４４が形成されているので、連結孔４３が拡がり易くなっており、連結軸３６の係止突部３７が連結孔４３の六角内角部から外れると、連結孔４３が拡がって連結軸３６が空転し、より一層、連結軸３６と連結孔４３の損傷を防止する。
【産業上の利用可能性】
【００５０】
本願発明に係る隙間調整装置は、引き戸を備えた引き戸枠の方立てに利用可能である。
【符号の説明】
【００５１】
１  隙間調整装置
２  引き戸
３  引き戸枠
４  中方立
５  収納溝
６  底壁
７  側面
８  側面
９  開口
９ａ  開口側端面
１０  取付孔
１１  遮蔽部材
１２  遮蔽体
１３  接触片
１４  帯片
１５  ガイド枠
１６  長尺板部
１７ａ  係止部
１７ｂ  係止部
１８ａ  挟持部
１８ｂ  挟持部
１９ａ  突起
１９ｂ  突起
２１  調節手段
２２  軸受体
２３  胴部
２４  フランジ
２５  係止突起
２６  切り欠き
２７  弾性片
２８  内周面
２８ａ  係合段部
２９  係止爪
３１  回動体
３２  回転円胴部
３２ａ  一方の面
３２ｂ  他方の面
３３  回転歯部
３３ａ  先端面
３４  突起片
３５  凸部
３６  連結軸
３６ａ  先端面
３７  係止突部
３８  ガイド部
３８ａ  先端
４１  連結アーム
４２  中心軸体
４３  連結孔
４４  切り欠き
４５  軸受け片
４６  軸受け孔
４７  傾斜ガイド部
４８  規制突起
４９  凸部
５１  保持アーム
５２  矩形軸体
５３  支軸
５４  割溝
５５  可撓片
５６  連結片
５７  係止突起
５８  傾斜ガイド面
５９  補強片
６１  ストッパー部材
６２  ストッパー板
６３  固定板
６５  係止爪
【図１】
2015004176.tif 000003
【図２】
2015004176.tif 000004
【図３】
2015004176.tif 000005
【図４】
2015004176.tif 000006
【図５】
2015004176.tif 000007
【図６】
2015004176.tif 000008
【図７】
2015004176.tif 000009
【図８】
2015004176.tif 000010
【図９】
2015004176.tif 000011
【図１０】
2015004176.tif 000012
【図１１】
2015004176.tif 000013
【図１２】
2015004176.tif 000014
【図１３】
2015004176.tif 000015
【図１４】
2015004176.tif 000016
【図１５】
2015004176.tif 000017